(57)【要約】【課題】  不要な振動および異音の抑制を含む周波数特性等の音響特性の改善と、組立の容易化や部品点数および工数の削減とを、両立させることができるリング型スピーカーおよびスピーカーシステムを提供する。【解決手段】  連結イコライザーが、砲弾状イコライザーと、環状イコライザーと、これらを一体に連結する半径方向に延設された複数の板状の連結アームと、を備え、環状イコライザーが、磁気回路と連結する磁気回路連結部と、磁気回路連結部から半径方向外周側に延設される環状平面部と、環状平面部において複数の連結アームのそれぞれの中心軸の外周側延長線上にリング型スピーカーをキャビネットに固定するネジ取付孔を含んで形成される複数のキャビネット固定部と、環状平面部の背面側から突出して形成されて磁気回路連結部と複数のキャビネット固定部とを半径方向に連結する複数の連結リブ部と、を有する。【選択図】  図３
2008205880.tif 000002
【特許請求の範囲】
【請求項１】
磁気回路と、該磁気回路の磁気空隙に配されるボイスコイルと、該ボイスコイルが連結する円環状のリング振動板と、該リング振動板ならびに該磁気回路と連結する連結イコライザーと、を備えるリング型スピーカーであって、
該連結イコライザーが、該リング振動板の内周に配置される砲弾状イコライザーと、該リング振動板の外周に配置される環状イコライザーと、該砲弾状イコライザーおよび該環状イコライザーを一体に連結する半径方向に延設された複数の板状の連結アームと、を備え、
該環状イコライザーが、
その背面側に形成されて該磁気回路と連結する磁気回路連結部と、
該磁気回路連結部から半径方向外周側に延設される環状平面部と、
該環状平面部において該複数の連結アームのそれぞれの中心軸の外周側延長線上に該リング型スピーカーをキャビネットに固定するネジ取付孔を含んで形成される複数のキャビネット固定部と、
該環状平面部の背面側から突出して形成されて該磁気回路連結部と該複数のキャビネット固定部とを半径方向に連結する複数の連結リブ部と、を有する、
リング型スピーカー。
【請求項２】
円周方向の断面形状における前記連結アームの幅が前記砲弾状イコライザーから前記環状イコライザーに至るに連れて増大する前記連結イコライザーを備え、
該連結イコライザーを背面側から見た場合に、前記連結リブ部の内周側端部の幅が該連結アームの外周側端部の幅にほぼ等しく、
円周方向の断面形状における該環状イコライザーの該連結リブ部の幅が、前記磁気回路連結部から前記キャビネット固定部に至るに連れて増大する、
請求項１に記載のリング型スピーカー。
【請求項３】
円周方向の断面形状における前記連結アームの幅が前記砲弾状イコライザーから前記環状イコライザーに至るに連れて略一定の増大比率で増大する前記連結イコライザーを備え、
円周方向の断面形状における該環状イコライザーの前記連結リブ部の幅が、前記磁気回路連結部から前記キャビネット固定部に至るに連れて該増大比率と略一致する比率で増大する、
請求項１に記載のリング型スピーカー。
【請求項４】
前記連結イコライザーの前記環状平面部が、
該環状平面部の背面側から突出して形成されて、該複数のキャビネット固定部を円周方向に連結する外周縁部を、さらに有する、
請求項１から３のいずれかに記載のリング型スピーカー。
【請求項５】
請求項１から４のいずれかに記載のリング型スピーカーと、該リング型スピーカーを固定するキャビネットと、前記連結イコライザーの前記複数のキャビネット固定部の前記ネジ取付孔を貫通して螺着する複数のネジと、を備える、スピーカーシステム。
【発明の詳細な説明】
【技術分野】
【０００１】
本発明は、円環状のリング振動板を備えるリング型スピーカーに関する。
【背景技術】
【０００２】
従来のリング型スピーカーにおいては、周波数特性および指向特性等の音響特性を改善するために、円環状のリング振動板の前面にイコライザー、ホーン等を取り付けるものがある。円環状のリング振動板を備えたリング型スピーカーは、多くは高音域用のツィーターとして使用される。リング振動板は、内周を固定支持され、リング振動板の内周にリング振動板の外周直径に匹敵するような大きさの砲弾状のイコライザーを配置することにより、高音域における音響特性を改善する（特許文献１）。
【０００３】
本願発明の出願人による従来のリング型スピーカーでは、不要な振動および異音の抑制を含む周波数特性等の音響特性の改善と、組立の容易化や部品点数および工数の削減とを、両立させることを目的にして、磁気回路と、磁気回路の磁気空隙に配されるボイスコイルと、ボイスコイルが連結する円環状のリング振動板と、リング振動板の内周に配置される砲弾状イコライザーと、リング振動板の外周に配置される環状イコライザーと、砲弾状イコライザーおよび環状イコライザーを連結する複数の半径方向に延設された板状の連結アームと、を備えるリング型スピーカーであって、連結アームが、半径方向の断面形状において砲弾状イコライザーの頭頂端を通る円弧で表される第１稜線と、半径方向の断面形状において砲弾状イコライザーの底面端を通る円弧で表される第２稜線と、第１稜線および第２稜線を連結する板状部と、を備えるようにしたものがある（特許文献２）。
【０００４】
【特許文献１】実開昭５７−１５８２８５号公報  （第２図）
【特許文献２】特開２００６−１００８７９号公報  （第１図、第６図）
【０００５】
特に、砲弾状イコライザー、連結アームおよび環状イコライザーが一体に樹脂成形された連結イコライザーを備えるリング型スピーカーでは、連結アームによって連結イコライザーが一体に樹脂成形されているので、さらなる組立の容易化と部品点数および工数の削減とを実現することができる。しかしながら、従来技術のリング型スピーカーでは、音響特性の改善と、組立の容易化や部品点数および工数の削減とを、両立させることが困難な場合がある。本願発明の出願人による特許文献２の実施例２に記載された連結イコライザーを備えるリング型スピーカーであっても、樹脂成形される連結イコライザーは、樹脂の厚みを分厚くすると外観表面にヒケが生じやすくなるので、全体的に薄肉化して形成しなければならない場合がある。その結果、連結イコライザーの構造が弱くなって不要な振動が励起され、振動に起因する異音が発生する、あるいは、音質が劣化するという問題がある。
【発明の開示】
【発明が解決しようとする課題】
【０００６】
本発明は、上記の従来技術が有する問題を解決するためになされたものであり、その目的は、不要な振動および異音の抑制を含む周波数特性等の音響特性の改善と、組立の容易化や部品点数および工数の削減とを、両立させることができるリング型スピーカーおよびこれを用いたスピーカーシステムを提供することにある。
【課題を解決するための手段】
【０００７】
本発明のリング型スピーカーは、磁気回路と、磁気回路の磁気空隙に配されるボイスコイルと、ボイスコイルが連結する円環状のリング振動板と、リング振動板ならびに磁気回路と連結する連結イコライザーと、を備えるリング型スピーカーであって、連結イコライザーが、リング振動板の内周に配置される砲弾状イコライザーと、リング振動板の外周に配置される環状イコライザーと、砲弾状イコライザーおよび環状イコライザーを一体に連結する半径方向に延設された複数の板状の連結アームと、を備え、環状イコライザーが、その背面側に形成されて磁気回路と連結する磁気回路連結部と、磁気回路連結部から半径方向外周側に延設される環状平面部と、環状平面部において複数の連結アームのそれぞれの中心軸の外周側延長線上にリング型スピーカーをキャビネットに固定するネジ取付孔を含んで形成される複数のキャビネット固定部と、環状平面部の背面側から突出して形成されて磁気回路連結部と複数のキャビネット固定部とを半径方向に連結する複数の連結リブ部と、を有する。
【０００８】
好ましくは、本発明のリング型スピーカーは、円周方向の断面形状における連結アームの幅が砲弾状イコライザーから環状イコライザーに至るに連れて増大する連結イコライザーを備え、連結イコライザーを背面側から見た場合に、連結リブ部の内周側端部の幅が連結アームの外周側端部の幅にほぼ等しく、円周方向の断面形状における環状イコライザーの連結リブ部の幅が、磁気回路連結部からキャビネット固定部に至るに連れて増大する。
【０００９】
好ましくは、本発明のリング型スピーカーは、円周方向の断面形状における連結アームの幅が砲弾状イコライザーから環状イコライザーに至るに連れて略一定の増大比率で増大する連結イコライザーを備え、円周方向の断面形状における環状イコライザーの連結リブ部の幅が、磁気回路連結部からキャビネット固定部に至るに連れて増大比率と略一致する比率で増大する。
【００１０】
さらに好ましくは、本発明のリング型スピーカーは、連結イコライザーの環状平面部が、環状平面部の背面側から突出して形成されて、複数のキャビネット固定部を円周方向に連結する外周縁部を、さらに有する。
【００１１】
さらに好ましくは、本発明のスピーカーシステムは、上記のリング型スピーカーと、リング型スピーカーを固定するキャビネットと、連結イコライザーの複数のキャビネット固定部のネジ取付孔を貫通して螺着する複数のネジと、を備える。
【００１２】
以下、本発明の作用について説明する。
【００１３】
本発明のリング型スピーカーは、磁気回路と、磁気回路の磁気空隙に配されるボイスコイルと、ボイスコイルが連結する円環状のリング振動板と、リング振動板ならびに磁気回路と連結する連結イコライザーと、を備える。連結イコライザーは、リング型スピーカーの周波数特性並びに指向特性等の音響特性の改善のために設けられ、リング振動板の内周に配置される砲弾状イコライザーと、リング振動板の外周に配置される環状イコライザーと、砲弾状イコライザーおよび環状イコライザーを一体に連結する半径方向に延設された複数の板状の連結アームと、を備える。複数の板状の連結アームは、これらのイコライザーにおける不要な振動および異音の抑制を抑制するために、そして、組立の容易化や部品点数および工数を削減するために設けられる。
【００１４】
連結イコライザーの環状イコライザーは、その背面側に形成されて磁気回路と連結する磁気回路連結部と、磁気回路連結部から半径方向外周側に延設される環状平面部と、環状平面部において複数の連結アームのそれぞれの中心軸の外周側延長線上にリング型スピーカーをキャビネットに固定するネジ取付孔を含んで形成される複数のキャビネット固定部と、を有する。それぞれのキャビネット固定部は、連結アームが外周側へ延長された場合に、その延長線上に位置することになる。したがって、本発明のリング型スピーカーは、砲弾状イコライザーおよび環状イコライザーを一体にされているので、組立の容易化、部品点数および工数を削減することができる。そして、本発明のリング型スピーカーを固定するキャビネットを備えるスピーカーシステムは、連結イコライザーの複数のキャビネット固定部のネジ取付孔に複数のネジを貫通させて螺着させ、リング型スピーカーを強固に取り付けることができる。
【００１５】
ここで、連結イコライザーの環状イコライザーは、環状平面部の背面側から突出して形成されて磁気回路連結部と複数のキャビネット固定部とを半径方向に連結する複数の連結リブ部を有する。つまり、これらの連結リブ部は、樹脂成形される連結イコライザーが外観表面にヒケを発生させないように全体的に薄肉化して形成されている場合に、環状平面部の背面側から突出して形成されて、磁気回路連結部とキャビネット固定部とを半径方向に連結し、薄肉化して形成されている環状イコライザーを補強してリング型スピーカーをキャビネットに取り付けることができる。連結イコライザーの環状平面部が、環状平面部の背面側から突出して形成されて、複数のキャビネット固定部を円周方向に連結する外周縁部を、さらに有する場合は、連結イコライザーはさらに強固に補強される。したがって、不要な振動および異音の抑制を含む周波数特性等の音響特性の改善が図ることができる。
【００１６】
また、この連結イコライザーでは、円周方向の断面形状における連結アームの幅が、砲弾状イコライザーから環状イコライザーに至るに連れて増大する。つまり、円周方向の断面形状における連結アームの形状およびその幅は、半径方向で滑らかに変化し、砲弾状イコライザーの頭頂端に近いほど細く、外周側に、そして、リング振動板に近くなるほど断面形状における厚みが増加し、極端な形状の変化を生じない。その結果、複数の連結アームは、固有の振動モードが生じにくくなり、砲弾状イコライザーを強固に固定することができ、連結イコライザーの不要な振動に起因する異音の発生を低減することができる。そして、一方で、板状の連結アームが音響特性、例えば、高調波歪特性に与える影響を少なくすることもできる。
【００１７】
ここで、好ましくは、連結リブ部は、連結イコライザーの円周方向の断面形状における連結アームの幅が砲弾状イコライザーから環状イコライザーに至るに連れて増大するのに対応して、連結イコライザーを背面側から見た場合に、連結リブ部の内周側端部の幅が連結アームの外周側端部の幅にほぼ等しく、円周方向の断面形状における環状イコライザーの連結リブ部の幅が、磁気回路連結部からキャビネット固定部に至るに連れて増大する。あるいは、好ましくは、円周方向の断面形状における連結アームの幅が、砲弾状イコライザーから環状イコライザーに至るに連れて、略一定の増大比率で増大する場合には、円周方向の断面形状における環状イコライザーの連結リブ部の幅が、磁気回路連結部からキャビネット固定部に至るに連れて増大比率と略一致する比率で増大する。
【００１８】
つまり、連結リブ部を構成するリブは、砲弾状イコライザーと環状イコライザーとを連結する連結アームの幅が増大するのに合わせて増大しつつ、磁気回路連結部と複数のキャビネット固定部とを半径方向に連結する。すなわち、リング型スピーカーをキャビネットに固定するキャビネット固定部が、連結アームと連続的に形成される連結リブ部により補強され、円周方向の断面形状における連結リブ部の幅の変化は、円周方向の断面形状における連結アームの幅の変化の延長上にある。
【００１９】
したがって、連結アームを伝搬する振動が環状イコライザーに伝搬する場合に、連結アームと連続的に形成される連結リブ部において、顕著に振動インピーダンスが変化しないので、連結イコライザーにとって不要な振動が著しく大きなレベルで反射することがない。その結果、連結イコライザーの不要な振動に起因する異音の発生を低減することができ、再生音質の改善と、高調波歪等の音響特性の改善を図ることができる。
【発明の効果】
【００２０】
本発明のリング型スピーカーおよびこれを用いたスピーカーシステムは、不要な振動および異音の抑制を含む周波数特性等の音響特性の改善と、組立の容易化や部品点数および工数の削減とを、両立させることができる。
【発明を実施するための最良の形態】
【００２１】
本発明のリング型スピーカーは、不要な振動および異音の抑制を含む周波数特性等の音響特性の改善と、組立の容易化や部品点数および工数の削減とを、両立させるという目的を、連結イコライザーが、リング振動板の内周に配置される砲弾状イコライザーと、リング振動板の外周に配置される環状イコライザーと、砲弾状イコライザーおよび環状イコライザーを一体に連結する半径方向に延設された複数の板状の連結アームと、を備え、環状イコライザーが、その背面側に形成されて磁気回路と連結する磁気回路連結部と、磁気回路連結部から半径方向外周側に延設される環状平面部と、環状平面部において複数の連結アームのそれぞれの中心軸の外周側延長線上にリング型スピーカーをキャビネットに固定するネジ取付孔を含んで形成される複数のキャビネット固定部と、環状平面部の背面側から突出して形成されて磁気回路連結部と複数のキャビネット固定部とを半径方向に連結する複数の連結リブ部と、を有するようにすることにより、実現した。
【００２２】
以下、本発明の好ましい実施形態によるリング型スピーカーおよびこれを用いたスピーカーシステムについて説明するが、本発明はこれらの実施形態には限定されない。
【実施例１】
【００２３】
図１は、本発明の好ましい実施形態によるスピーカーシステム１について説明する図である。スピーカーシステム１は、高音域再生用のツィーターとして本発明の好ましい実施形態によるリング型スピーカー２を、そして、中低音域再生用のウーファーとしてコーン型スピーカー３を、それぞれキャビネット４の前面側バフルにネジ５で螺着されて取り付けられて、構成されている。
【００２４】
図２は、本発明の好ましい実施形態によるリング型スピーカー２について説明する分解展開図である。リング型スピーカー２は、磁気回路１０と、ボイスコイル１４と、円環状のリング振動板１５と、リング振動板１５ならびに磁気回路１０と連結する連結イコライザー２０と、を備える。磁気回路１０は、ヨーク１１と、マグネット１２と、プレート１３とから構成され、ヨーク１１とプレート１３との間には磁気空隙が形成される。また、連結イコライザー２０は、砲弾状イコライザー２１と、環状イコライザー２２と、これらを一体に連結する連結アーム２３と、を備え、これらが一体に樹脂成形されており、放射孔２４およびネジ取付孔２５が形成されている。連結イコライザー２０は、後述する磁気回路連結部２６を有し、磁気回路１０のヨーク１１のフランジ部が磁気回路連結部２６に嵌入されると、磁気回路１０は連結イコライザー２０と連結し、ボイスコイル１４を磁気回路１０の磁気空隙に配置する。
【００２５】
ボイスコイル１４は、ボビンの一端側にコイルが巻き廻されて構成され、リング型スピーカー２として組み立てられた場合に、コイルは磁気回路１０の磁気空隙に配される。円環状のリング振動板１５は、その内周側及び外周側を連結イコライザー２０に接着剤で予め貼り付けられて固定支持されており、また、ボイスコイル１４のボビンのコイルが巻回されていない他端側がリング振動板１５の中央付近に接着されて連結している。具体的には、リング振動板１５は、例えば、アクリル、ウレタン等の樹脂コートを施した合成繊維の織布を基材としており、その内周と外周とを固定支持される円環状（リング形状）の振動板であり、その断面は２つの凸状のロールが連結した形状であり、リング中央のロールの連結部にボイスコイル１４のボビンが連結する。
【００２６】
図３は、本実施例の連結イコライザー２０について説明する図であり、図３（ａ）は連結イコライザー２０を裏返して背面側から見た斜視図であり、図３（ｂ）はその要部を説明する拡大図である。リング型スピーカー２を構成する連結イコライザー２０は、リング振動板１５の内周に配置される砲弾状イコライザー２１と、リング振動板１５の外周に配置される環状イコライザー２２と、砲弾状イコライザー２１および環状イコライザー２２を一体に連結する半径方向に延設された４本の板状の連結アーム２３と、を備え、これらが一体に樹脂成形されている。砲弾状イコライザー２１と環状イコライザー２２との間には放射孔２４が形成され、リング型スピーカー２として組み立てられた場合には、ボイスコイル１４のコイルに電流が印加されると、放射孔２４から露出するリング振動板１５が振動し、音波が放射される。なお、連結イコライザー２０は、上記特許文献２のリング型スピーカーが有する連結イコライザーと同様に、再生周波数特性等の音響特性を改善し、不要な振動および異音を抑制するように作用する。
【００２７】
連結イコライザー２０の４本の連結アーム２３は、中心点Ｏを中心として、９０度回転対称で４方向に配置される。したがって、この場合の連結アーム２３のそれぞれの中心軸は、一点鎖線で図示される２本の直交する直線である。一つの連結アーム２３は、内周端側が砲弾状イコライザー２１に、外周端側が環状イコライザー２２に接続している。円周方向の断面形状における中心点Ｏから半径ｒの位置での連結アーム２３の幅ＷＡは、砲弾状イコライザー２１から環状イコライザー２２に至るに連れて増大する。具体的には、図３（ｂ）に示すように、正面側に投影した（もしくは背面側から見た）連結アーム２３の形状は、点Ｏを中心点とする角度αの略扇形として表され、中心点Ｏから半径ｒの位置での連結アーム２３の幅ＷＡは、角度αの略扇形の円弧の長さｒαにほぼ等しい。したがって、連結アーム２３の幅ＷＡは、砲弾状イコライザー２１から環状イコライザー２２に至るに連れて略一定の増大比率αで増大し、環状イコライザー２２に接続する連結アーム２３の外周側端部で最も幅が広くなる。
【００２８】
連結イコライザー２０の環状イコライザー２２は、その背面側に形成されて磁気回路１０と連結する磁気回路連結部２６を有する。磁気回路連結部２６は、略円筒状に延設されて形成されており、その内側に磁気回路１０のヨーク１１が嵌入されて、そのフランジ部が磁気回路連結部２６の爪部に係止されて固定される。環状平面部２７は、磁気回路連結部２６から半径方向外周側に延設されており、前面側から外観視される平面を形成し、背面側に４本の連結アーム２３のそれぞれの中心軸の外周側延長線上にキャビネット固定部２８を４カ所に有する。すなわち、キャビネット固定部２８は、略方形の環状イコライザー２２の四隅の方向に延びる連結アーム２３と同じ方向に、ネジ取付孔２５を含んで形成されている。したがって、スピーカーシステム１は、ネジ５をネジ取付孔２５に貫通させて螺着して、リング型スピーカー２をキャビネット４に固定することができる。
【００２９】
連結イコライザー２０を形成する樹脂は、成形性に優れるＡＢＳ樹脂であり、樹脂の厚みを分厚くすると外観表面にヒケが生じやすくなるので、全体的に薄肉化して形成するように設計される。連結イコライザー２０の平均的な樹脂の厚みは、約４ｍｍ〜約６ｍｍであり、例えば、砲弾形状の砲弾状イコライザー２１と、環状イコライザー２２の環状平面部２７とは、それぞれその内部を背面側から肉盗みして、外観表面のヒケを防止している。
【００３０】
連結イコライザー２０の環状イコライザー２２には、環状平面部２７の背面側から突出して形成されて磁気回路連結部２６とキャビネット固定部２８とを半径方向に連結する連結リブ部２９を有する。連結リブ部２９を構成するリブは、環状平面部２７の背面側から突出して形成されて、磁気回路連結部２６とキャビネット固定部２８とを半径方向に連結し、薄肉化して形成されている環状イコライザー２２を補強する。すなわち、連結リブ部２９は、連結アーム２３のそれぞれの中心軸の外周側延長線上に設けられ、磁気回路連結部２６と４カ所のキャビネット固定部２８とをそれぞれ連結するように、４カ所に設けられており、薄肉化された環状平面部２７から突出するその高さは、約２ｍｍである。
【００３１】
ここで、円周方向の断面形状における中心点Ｏから半径ｒの位置での連結リブ部２９の幅ＷＢは、砲弾状イコライザー２１と環状イコライザー２２とを連結する連結アーム２３の幅ＷＡが増大するのに対応して、同様に増大するように設計されている。すなわち、連結リブ部２９の幅ＷＢは、図３（ｂ）に示すように、連結アーム２３の幅ＷＡを規定する角度αで交叉する鎖線で図示される２つの直線により規定される。具体的には、正面側に投影した（もしくは背面側から見た）連結リブ部２９の形状は、連結アーム２３の形状と合わせると、点Ｏを中心点とする角度αの略扇形として表される。円周方向の断面形状における中心点Ｏから半径ｒの位置での連結リブ部２９の幅ＷＢは、半径ｒで角度αの略扇形の円弧の長さｒαにほぼ等しく、磁気回路連結部２６からキャビネット固定部２８に至るに連れて略一定の増大比率αで増大する。円周方向の断面形状における連結リブ部２９の幅の変化は、円周方向の断面形状における連結アーム２３の幅の変化の延長上にあることになる。連結リブ部２９の内周側端部における幅ＷＢは、連結アーム２３の外周側端部の幅ＷＡにほぼ等しく、中心点Ｏからの半径ｒが増大するのに連れて増大し、キャビネット固定部２８に接続する外周側端部で最も幅が広くなる。その結果、リング型スピーカー２をキャビネット４に固定するキャビネット固定部２８は、連結アーム２３と連続的に形成される連結リブ部２９により補強される。
【００３２】
連結イコライザー２０の環状平面部２７は、その背面側から突出して形成されて、４カ所のキャビネット固定部２８を円周方向に連結する外周縁部３０を、さらに有する。外周縁部３０は、環状イコライザー２２の環状平面部２７の縁の厚みが増大した部分であり、外周縁部３０によって連結イコライザー２０はさらに強固に補強される。なお、本実施例では、外周縁部３０の厚みは、薄肉化された環状平面部２７から突出する連結リブ部２９の厚みと同じである。
【００３３】
また、図３（ｂ）に示すように、連結リブ部２９が磁気回路連結部２６ならびにキャビネット固定部２８と連結する部分、もしくは、外周縁部３０がキャビネット固定部２８と連結する部分では、必要に応じてフィレット部分を設けてこれらを滑らかに連結してもよく、また、連結リブ部２９が肉厚になってヒケが生じるのを防ぐために、連結リブ部２９のリブとリブとの間に肉盗みを設けてもよい。
【００３４】
図４は、（図示しない）比較例のリング型スピーカーを構成する比較例の連結イコライザー４０、５０、６０、および、７０を説明する図である。本実施例の連結イコライザー２０と、比較例の連結イコライザー４０、５０、６０、および、７０とは、それぞれ同一のＡＢＳ樹脂で成形されており、連結リブ部の構成が相違点である他は共通するので、共通する部分の説明は省略する。また、比較例のリング型スピーカーは、いずれも連結イコライザーが異なるのみで、その他の構成は本実施例のリング型スピーカー２と共通するので、説明を省略する。
【００３５】
図４（ａ）の比較例１の連結イコライザー４０は、砲弾状イコライザー４１および環状イコライザー４２を連結する連結アーム４３を備える連結イコライザーであるが、連結イコライザー２０の連結リブ部２９に相当する連結リブ部が設けられていない連結イコライザーである。つまり、連結イコライザー４０の環状イコライザー４２の背面側では、磁気回路連結部４６とネジ取付孔４５を含むキャビネット固定部４８とは、薄肉化された環状平面部４７で接続されているにすぎない。
【００３６】
また、図４（ｂ）の比較例２の連結イコライザー５０では、砲弾状イコライザー５１および環状イコライザー５２を連結する連結アーム５３の中心軸の外周側延長線上で薄肉化された環状平面部５７から突出し、磁気回路連結部５６とネジ取付孔５５を含むキャビネット固定部５８とを半径方向に連結する連結リブ部５９が設けられているが、円周方向の断面形状における連結リブ部５９の幅Ｗ２は、磁気回路連結部５６からキャビネット固定部５８に至るに連れて一定であり、増大しない。その結果、連結リブ部５９の幅Ｗ２は、キャビネット固定部５８と連結する部分では、本実施例の連結イコライザー２０の連結リブ部２９のキャビネット固定部２８と連結する部分での幅よりも狭い。
【００３７】
また、図４（ｃ）の比較例３の連結イコライザー６０では、砲弾状イコライザー６１および環状イコライザー６２を連結する連結アーム６３の中心軸の外周側延長線上で薄肉化された環状平面部６７から突出し、磁気回路連結部６６とネジ取付孔６５を含むキャビネット固定部６８とを半径方向に連結する連結リブ部６９が設けられているが、円周方向の断面形状における連結リブ部６９の幅Ｗ３は、磁気回路連結部６６からキャビネット固定部６８に至るに連れて増大するものの、連結リブ部６９の内周側端部における幅Ｗ３は、連結アーム６３の外周側端部の幅ＷＡよりもはるかに幅が広い。一方、連結リブ部６９の幅Ｗ３は、キャビネット固定部６８と連結する部分では、本実施例の連結イコライザー２０の連結リブ部２９の円周方向の断面形状におけるキャビネット固定部２８と連結する部分での幅よりも広い。
【００３８】
また、図４（ｄ）の比較例４の連結イコライザー７０では、連結イコライザー２０の連結リブ部２９とは異なり、砲弾状イコライザー７１および環状イコライザー７２を連結する連結アーム７３の中心軸の外周側延長線上において磁気回路連結部７６とキャビネット固定部７８とを連結するリブではなく、外周側延長線上から外れたところに磁気回路連結部７６と外周縁部８０とを連結する連結リブ部７９が設けられている。円周方向の断面形状におけるリブ部７９の幅Ｗ４は、磁気回路連結部７６から外周縁部８０に至るに連れて一定であり、増大しない。つまり、連結リブ部７９は、連結アーム７２のそれぞれの中心軸の外周側延長線上に形成されておらず、磁気回路連結部７６とキャビネット固定部７８とを連結してない。
【００３９】
図５Ａは、リング型スピーカーをキャビネットに取り付けたスピーカーシステムについて、入力信号が正弦波１ｋＨｚ（１Ｗ）の場合の軸上１ｍ音圧特性を表すグラフである。図５Ａ（ａ）が実施例の連結イコライザー２０を用いた場合、図５Ａ（ｂ）が比較例１の連結イコライザー４０を用いた場合である。このグラフでは、正弦波入力信号によって生じる高調波歪（２次：２ｋＨｚ〜）が発生しているのが測定されている。
【００４０】
同様に、図５Ｂは、リング型スピーカーをキャビネットに取り付けたスピーカーシステムについて、入力信号が正弦波２ｋＨｚ（１Ｗ）の場合の軸上１ｍ音圧歪特性を表すグラフであり、図５Ｂ（ａ）が実施例の連結イコライザー２０を用いた場合、図５Ｂ（ｂ）が比較例１の連結イコライザー４０を用いた場合の音圧特性である。入力信号の周波数が異なる場合にも、同様に、正弦波入力信号によって生じる高調波歪（２次：４ｋＨｚ〜）が発生している様子が測定されている。
【００４１】
このように、実施例の連結イコライザー２０を用いたリング型スピーカー２を有するスピーカーシステムでは、磁気回路連結部４６とキャビネット固定部４８とを連結する連結リブ部をもたない比較例１の連結イコライザー４０を用いた場合よりも、再生音波の高調波歪が減少し、再生音質の改善が図られている。
【００４２】
図６Ａは、リング型スピーカーをキャビネットに取り付けたスピーカーシステムについて、入力信号が正弦波１ｋＨｚ（１Ｗ）の場合の連結イコライザー表面における振動加速度特性を表すグラフであり、図６Ａ（ａ）が実施例の連結イコライザー２０を用いた場合に砲弾状イコライザー２１において、図６Ａ（ｂ）が比較例１の連結イコライザー４０を用いた場合に砲弾状イコライザー４１において、図６Ａ（ｃ）が実施例の連結イコライザー２０を用いた場合に連結アーム２３において、図６Ａ（ｄ）が比較例１の連結イコライザー４０を用いた場合に連結アーム４３において、測定した振動加速度特性である。連結イコライザーの振動においても、正弦波入力信号によって生じる高調波歪（２次：２ｋＨｚ〜）が発生しているのが測定されている。
【００４３】
同様に、図６Ｂは、リング型スピーカーをキャビネットに取り付けたスピーカーシステムについて、入力信号が正弦波２ｋＨｚ（１Ｗ）の場合の連結イコライザー表面における振動加速度特性を表すグラフであり、図６Ｂ（ａ）が実施例の連結イコライザー２０を用いた場合に砲弾状イコライザー２１において、図６Ｂ（ｂ）が比較例１の連結イコライザー４０を用いた場合に砲弾状イコライザー４１において、図６Ｂ（ｃ）が実施例の連結イコライザー２０を用いた場合に連結アーム２３において、図６Ｂ（ｄ）が比較例１の連結イコライザー４０を用いた場合に連結アーム４３において、測定した振動加速度特性である。振動加速度でも、入力信号の周波数が異なる場合にも、正弦波入力信号によって生じる高調波歪（２次：４ｋＨｚ〜）が発生している様子が測定されている。
【００４４】
連結イコライザー表面における振動加速度をあらわす図６Ａおよび図６Ｂを参照すると、図５Ａおよび図５Ｂに示された再生音波の高調波歪と同様に、実施例の連結イコライザー２０を用いたリング型スピーカー２を有するスピーカーシステムでは、磁気回路連結部４６とキャビネット固定部４８とを連結する連結リブ部をもたない比較例１の連結イコライザー４０を用いた場合に比べて、基本波周波数での振動加速度レベルが低くなり、また、振動加速度の高調波歪が減少する。このように、連結リブ部を有する実施例の連結イコライザー２０は、連結リブ部２９によって補強されるので、連結リブ部の無い比較例の連結イコライザー４０よりも振動レベルを低く抑えることができ、その結果、連結イコライザーが放射する高調波歪音が減少し、再生音質の改善が図られる。
【００４５】
また、図７は、リング型スピーカーをキャビネットに取り付けたスピーカーシステムについて、入力信号が正弦波２ｋＨｚ（１Ｗ）の場合の連結イコライザー表面における振動加速度特性を表すグラフであり、図７（ａ）が比較例２の連結イコライザー５０を用いた場合に砲弾状イコライザー５１において、図７（ｂ）が比較例３の連結イコライザー６０を用いた場合に砲弾状イコライザー６１において、図７（ｃ）が実施例の連結イコライザー７０を用いた場合に連結アーム７３において、それぞれ測定した振動加速度特性である。したがって、図７の振動加速度特性を表すグラフは、実施例の場合の連結イコライザー表面における振動加速度をあらわす図６Ｂ（ａ）と比較することができる。
【００４６】
図６Ｂ（ａ）および図７を参照すると、実施例の連結イコライザー２０を用いたリング型スピーカー２を有するスピーカーシステムでは、比較例２〜４の連結イコライザー５０、６０または７０を用いた場合よりも、基本波周波数での振動加速度レベルが低くなり、また、振動加速度の高調波歪が減少する。例えば、比較例２の連結イコライザー５０では、連結アーム５３と連続的に形成される連結リブ部５９において、顕著に振動インピーダンスが変化するので、基本波周波数での振動加速度レベルが高くなり、また、振動加速度の高調波歪が上昇する。比較例３の連結イコライザー６０においても同様である。また、比較例４の連結イコライザー７０では、連結リブ部７９は、連結アーム７２のそれぞれの中心軸の外周側延長線上に形成されていないので、砲弾状イコライザー７１での基本波周波数での振動加速度レベルが高くなる。
【００４７】
図５Ｂに示された再生音波の高調波歪と同様に、連結リブ部２９を有する実施例の連結イコライザー２０の方が、所定の要件を満たさない連結リブ部、つまり、円周方向の断面形状における連結リブ部の幅の変化が連結アームの幅の変化の延長上にない比較例２から４の連結イコライザーよりも振動レベルが低くなる。その結果、連結イコライザーが放射する高調波歪音が減少し、再生音質の改善が図られる。本実施例のリング型スピーカー２は、連結アーム２３によって砲弾状イコライザー２１および環状イコライザー２２が一体に樹脂成形された連結イコライザー２０を備え、連結リブ部２９を有しているので、不要な振動および異音が抑制される。そして、連結イコライザー２０と磁気回路１０とを連結するのにネジを必要しないため、リング型スピーカー２は、さらなる組立の容易化と部品点数および工数の削減とが実現される。
【００４８】
なお、本発明のリング型スピーカーでは、連結イコライザーの連結アームが４本である場合を説明したが、本発明の連結アームは、砲弾状イコライザーおよび環状イコライザーを一体に連結する半径方向に延設されたものであれば、２本で以上の複数であればよい。
【産業上の利用可能性】
【００４９】
本発明のリング型スピーカーは、高音域再生用のツィーターに限られず、フルレンジスピーカーや、中低音域再生用の他のスピーカーにも適用が可能である。リング振動板の内周側には砲弾状イコライザーが、リング振動板の外周側には環状イコライザーが配置され、これらを連結する連結アームを供えるスピーカーに適する。
【図面の簡単な説明】
【００５０】
【図１】本発明の好ましい実施形態によるスピーカーシステムについて説明する図である。（実施例）
【図２】本発明の好ましい実施形態によるリング型スピーカーについて説明する図である。（実施例）
【図３】本発明の好ましい実施形態による連結イコライザーについて説明する図である。（実施例）
【図４】従来の連結イコライザーについて説明する図である。（比較例１〜４）
【図５Ａ】本発明および比較例のリング型スピーカーの再生音圧特性について説明する図である。（実施例、比較例１）
【図５Ｂ】本発明および従来のリング型スピーカーの再生音圧特性について説明する図である。（実施例、比較例１）
【図６Ａ】本発明および従来のリング型スピーカーの振動加速度特性について説明する図である。（実施例、比較例１）
【図６Ｂ】本発明および従来のリング型スピーカーの振動加速度特性について説明する図である。（実施例、比較例１）
【図７】従来のリング型スピーカーの振動加速度特性について説明する図である。（比較例２〜４）
【符号の説明】
【００５１】
１            スピーカーシステム
２            リング型スピーカー
４            キャビネット
５            ネジ
１０          磁気回路
１４          ボイスコイル
１５          リング振動板
２０          連結イコライザー
２１          砲弾状イコライザー
２２          環状イコライザー
２３          連結アーム
２４          放射孔
２５          ネジ取付孔
２６          磁気回路連結部
２７          環状平面部
２８          キャビネット固定部
２９          連結リブ部
３０          外周縁部
４０、５０、６０、７０    連結イコライザー
【図１】
2008205880.tif 000003
【図２】
2008205880.tif 000004
【図３】
2008205880.tif 000005
【図４】
2008205880.tif 000006
【図５Ａ】
2008205880.tif 000007
【図５Ｂ】
2008205880.tif 000008
【図６Ａ】
2008205880.tif 000009
【図６Ｂ】
2008205880.tif 000010
【図７】
2008205880.tif 000011